【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
アクセス端末において動作可能なモデムデバイスであって、
無線通信インタフェースと、
前記無線通信インタフェースに関する無線広域ネットワーク（ＷＷＡＮ）プロトコルスタックを実施するように構成されたメモリデバイスと、
前記無線通信インタフェースおよび前記メモリデバイスに通信可能に結合された処理回路と、
を備え、前記処理回路が、
前記無線広域ネットワーク（ＷＷＡＮ）プロトコルスタックからの無線広域ネットワーク（ＷＷＡＮ）プロトコル情報をモニタすることと、
前記モニタされた無線広域ネットワーク（ＷＷＡＮ）プロトコル情報に基づいて、前記処理回路に提供される前記少なくとも１つのハードウェア動作パラメータを調整するかどうか決定することであって、処理回路リソースの使用の増加を予想して、前記処理回路に提供される前記少なくとも１つのハードウェア動作パラメータを調整するかどうか予測することを含む、決定することと、
前記処理回路の物理動作を制御するために、前記モニタされた無線広域ネットワーク（ＷＷＡＮ）プロトコル情報に応答して、前記処理回路に提供される前記少なくとも１つのハードウェア動作パラメータを調整することと、
を行うように構成された、モデムデバイス。
【請求項２】
前記処理回路が、モデムプロセッサを備える、請求項１に記載のモデムデバイス。
【請求項３】
前記処理回路がさらに、
前記処理回路または前記メモリデバイスに結合されたメモリバスのうちの少なくとも１つのアクティビティレートを測定し、
前記無線広域ネットワーク（ＷＷＡＮ）プロトコル情報に加えて、前記処理回路または前記メモリバスのうちの前記少なくとも１つの前記アクティビティレートに応答して、前記処理回路に提供される前記少なくとも１つのハードウェア動作パラメータを調整する、
ように構成される、請求項１に記載のモデムデバイス。
【請求項４】
前記処理回路が、前記処理回路に関するアイドルなクロックサイクルの割合を測定することによって前記処理回路の前記アクティビティレートを測定するように構成される、請求項３に記載のモデムデバイス。
【請求項５】
前記処理回路が、前記メモリバス上の読取／書込コマンドの量と前記読取／書込コマンドを実行するための平均遅延時間を測定することによって前記メモリバスの前記アクティビティレートを測定するように構成される、請求項３に記載のモデムデバイス。
【請求項６】
前記処理回路が、ダウンリンク物理トランスポートブロックサイズ、アップリンクスケジューリング許可、自動再送要求（ＡＲＱ）ウィンドウサイズ、または送信バッファステータスのうちの少なくとも１つをモニタすることによって、前記無線広域ネットワーク（ＷＷＡＮ）プロトコル情報をモニタするように構成される、請求項１に記載のモデムデバイス。
【請求項７】
前記処理回路が、前記モデムデバイスおよびアクセスノード間において伝達される１つまたは複数のシグナリング／制御メッセージに関するシグナリング／制御チャネルをモニタすることによって、前記無線広域ネットワーク（ＷＷＡＮ）プロトコル情報をモニタするように構成される、請求項１に記載のモデムデバイス。
【請求項８】
前記処理回路に提供される前記少なくとも１つのハードウェア動作パラメータを調整することが、前記処理回路に供給される電圧または前記処理回路のクロック周波数のうちの少なくとも１つを調整することを含む、請求項１に記載のモデムデバイス。
【請求項９】
前記処理回路は、前記処理回路の前記クロック周波数が増加する場合、前記処理回路に供給される前記電圧を増加させるように構成される、請求項８に記載のモデムデバイス。
【請求項１０】
前記処理回路は、前記処理回路に供給される前記電圧が減少する場合、前記処理回路の前記クロック周波数を減少させるように構成される、請求項８に記載のモデムデバイス。
【請求項１１】
処理回路のパフォーマンスレベルを管理するための、モデムデバイスにおいて使用可能な方法であって、前記方法は、
無線広域ネットワーク（ＷＷＡＮ）プロトコルスタックからの無線広域ネットワーク（ＷＷＡＮ）プロトコル情報をモニタすることと、
前記モニタされた無線広域ネットワーク（ＷＷＡＮ）プロトコル情報に基づいて、前記処理回路に提供される少なくとも１つのハードウェア動作パラメータを調整するかどうか決定することであって、処理回路リソースの使用の増加を予想して、前記処理回路に提供される前記少なくとも１つのハードウェア動作パラメータを調整するかどうか予測することを含む、決定することと、
前記処理回路の物理動作を制御するために、前記モニタされた無線広域ネットワーク（ＷＷＡＮ）プロトコル情報に応答して前記処理回路に提供される前記少なくとも１つのハードウェア動作パラメータを調整することと、
を備える、方法。
【請求項１２】
処理回路またはメモリバスのうちの少なくとも１つのアクティビティレートを測定することと、
前記無線広域ネットワーク（ＷＷＡＮ）プロトコル情報に加えて、前記処理回路または前記メモリバスの前記少なくとも１つの前記アクティビティレートの前記少なくとも１つに応答して前記処理回路に提供される前記少なくとも１つのハードウェア動作パラメータを調整することと、
をさらに備える、請求項１１に記載の方法。
【請求項１３】
前記処理回路の前記アクティビティレートを測定することが、前記処理回路に関するアイドルなクロックサイクルの割合を測定することを備える、請求項１２に記載の方法。
【請求項１４】
前記メモリバスの前記アクティビティレートを測定することが、前記メモリバス上の読取／書込コマンドの量、および前記読取／書込コマンドを実行するための平均遅延時間を測定することを備える、請求項１２に記載の方法。
【請求項１５】
前記無線広域ネットワーク（ＷＷＡＮ）プロトコル情報をモニタすることが、ダウンリンク物理トランスポートブロックサイズ、アップリンクスケジューリング許可、自動再送要求（ＡＲＱ）ウィンドウサイズ、または送信バッファステータスのうちの少なくとも１つをモニタすることを含む、請求項１１に記載の方法。
【請求項１６】
前記無線広域ネットワーク（ＷＷＡＮ）プロトコル情報をモニタすることが、
ダウンリンク物理トランスポートブロックサイズに関する前記無線広域ネットワーク（ＷＷＡＮ）プロトコル情報をモニタすることと、
前記ダウンリンク物理トランスポートブロックサイズを発見することと、
前記発見されたダウンリンク物理トランスポートブロックサイズに関連する処理回路パフォーマンスレベルを識別することと、
を含む、請求項１５に記載の方法。
【請求項１７】
前記無線広域ネットワーク（ＷＷＡＮ）プロトコル情報をモニタすることが、
アップリンクスケジューリング許可に関する無線広域ネットワーク（ＷＷＡＮ）プロトコル情報をモニタすることと、
前記アップリンクスケジューリング許可を発見することと、前記発見されたアップリンクスケジューリング許可に関連する処理回路パフォーマンスレベルを識別することと、
を含む、請求項１５に記載の方法。
【請求項１８】
前記無線広域ネットワーク（ＷＷＡＮ）プロトコル情報をモニタすることが、
自動再送要求（ＡＲＱ）ステータスに関する前記無線広域ネットワーク（ＷＷＡＮ）プロトコル情報をモニタすることと、
自動再送要求（ＡＲＱ）未処理ウィンドウサイズを決定することと、
前記自動再送要求（ＡＲＱ）未処理ウィンドウサイズに関連する処理回路パフォーマンスレベルを識別することと、
を含む、請求項１５に記載の方法。
【請求項１９】
前記無線広域ネットワーク（ＷＷＡＮ）プロトコル情報をモニタすることが、
送信バッファステータスに関する前記無線広域ネットワーク（ＷＷＡＮ）プロトコル情報をモニタすることと、
前記送信バッファステータスを発見することと、
前記発見された送信バッファステータスに関連する処理回路パフォーマンスレベルを識別することと、
を含む、請求項１５に記載の方法。
【請求項２０】
前記無線広域ネットワーク（ＷＷＡＮ）プロトコル情報をモニタすることが、前記モデムデバイスおよびアクセスノード間において伝達される１つまたは複数のシグナリング／制御メッセージに関するシグナリング／制御チャネルをモニタすることを含む、請求項１１に記載の方法。
【請求項２１】
前記処理回路に提供される前記少なくとも１つのハードウェア動作パラメータを調整することは、前記処理回路に供給される電圧または前記処理回路のクロック周波数のうちの少なくとも１つを上方にまたは下方に調整することを備える、請求項１１に記載の方法。
【請求項２２】
前記処理回路の前記クロック周波数が増加する場合、前記処理回路に供給される前記電圧を増加させることをさらに備える、請求項２１に記載の方法。
【請求項２３】
前記処理回路に供給される前記電圧が減少する場合、前記処理回路の前記クロック周波数を減少させることをさらに備える、請求項２１に記載の方法。
【請求項２４】
無線端末において動作可能なモデムデバイスであって、
無線通信を送信することまたは受信することのうちの少なくとも１つのための手段と、
無線広域ネットワーク（ＷＷＡＮ）プロトコルスタックからの無線広域ネットワーク（ＷＷＡＮ）プロトコル情報をモニタするための手段と、
前記モニタされた無線広域ネットワーク（ＷＷＡＮ）プロトコル情報に基づいて、前記処理回路に提供される少なくとも１つのハードウェア動作パラメータを調整するかどうか決定するための手段であって、処理回路リソースの使用の増加を予想して、前記処理回路に提供される前記少なくとも１つのハードウェア動作パラメータを調整するかどうか予測するための手段を含む、決定するための手段と、
前記処理回路の物理動作を制御するために、前記モニタされた無線広域ネットワーク（ＷＷＡＮ）プロトコル情報に応答して処理回路に提供される前記少なくとも１つのハードウェア動作パラメータを調整するための手段と、
を備える、モデムデバイス。
【請求項２５】
前記処理回路が、モデムプロセッサを備える、請求項２４に記載のモデムデバイス。
【請求項２６】
前記処理回路またはメモリバスのうちの少なくとも１つのアクティビティレートを測定するための手段と、
前記モニタされた無線広域ネットワーク（ＷＷＡＮ）プロトコル情報に加えて、前記処理回路または前記メモリバスのうちの前記少なくとも１つの前記アクティビティレートに応答して前記処理回路に提供される前記少なくとも１つの動作パラメータを調整するための手段と、
をさらに備える、請求項２４に記載のモデムデバイス。
【請求項２７】
前記処理回路の前記アクティビティレートを測定する場合、前記処理回路に関するアイドルなクロックサイクルの割合を測定するための手段をさらに備える、請求項２６に記載のモデムデバイス。
【請求項２８】
前記メモリバスの前記アクティビティレートを測定する場合、前記メモリバス上の読取／書込コマンドの量および前記読取／書込コマンドを実行するための平均遅延時間を測定するための手段をさらに備える、請求項２６に記載のモデムデバイス。
【請求項２９】
前記無線広域ネットワーク（ＷＷＡＮ）プロトコル情報をモニタする場合、ダウンリンク物理トランスポートブロックサイズ、アップリンクスケジューリング許可、自動再送要求（ＡＲＱ）ウィンドウサイズ、または送信バッファステータスのうちの少なくとも１つをモニタするための手段と、
前記処理回路の物理動作を制御するために、(a)前記モニタされた無線広域ネットワーク（ＷＷＡＮ）プロトコル情報および(b) ダウンリンク物理トランスポートブロックサイズ、アップリンクスケジューリング許可、自動再送要求（ＡＲＱ）ウィンドウサイズ、または送信バッファステータスのうちの少なくとも１つに応答して前記処理回路に提供される少なくとも１つのハードウェア動作パラメータを調整するための手段と、
をさらに備える、請求項２８に記載のモデムデバイス。
【請求項３０】
前記無線広域ネットワーク（ＷＷＡＮ）プロトコル情報をモニタする場合、前記モデムデバイスおよびアクセスノード間において伝達される１つまたは複数のシグナリング／制御メッセージに関するシグナリング／制御チャネルをモニタするための手段をさらに備える、請求項２４に記載のモデムデバイス。
【請求項３１】
前記処理回路に供給される電圧または前記処理回路のクロック周波数のうちの少なくとも１つを上方にまたは下方に調整するための手段をさらに備える、請求項２４に記載のモデムデバイス。
【請求項３２】
プロセッサパフォーマンスレベルを管理するための、モデムデバイスにおいて使用可能な１つまたは複数の命令を備える非一時的なプロセッサ読取可能媒体であって、
前記１つまたは複数の命令は、プロセッサによって実行されると、前記プロセッサに、
無線広域ネットワーク（ＷＷＡＮ）プロトコルスタックからの無線広域ネットワーク（ＷＷＡＮ）プロトコル情報をモニタすることと、
前記モニタされた無線広域ネットワーク（ＷＷＡＮ）プロトコル情報に応答して、前記処理回路に提供される少なくとも１つのハードウェア動作パラメータを調整するかどうか決定することであって、処理回路リソースの使用の増加を予想して、前記処理回路に提供される前記少なくとも１つのハードウェア動作パラメータを調整するかどうか予測することを含む、決定することと、
前記処理回路の物理動作を制御するために、前記モニタされた無線広域ネットワーク（ＷＷＡＮ）プロトコル情報に応答して処理回路に提供される前記少なくとも１つのハードウェア動作パラメータを調整することと、
をさせる、非一時的なプロセッサ読取可能媒体。
【請求項３３】
前記処理回路がモデムプロセッサを備える、請求項３２に記載のプロセッサ読取可能媒体。
【請求項３４】
前記プロセッサによって実行されると、前記プロセッサに、
処理回路またはメモリバスのうちの少なくとも１つのアクティビティレートを測定することと、
前記無線広域ネットワーク（ＷＷＡＮ）プロトコル情報に加えて、前記処理回路または前記メモリバスのうちの前記少なくとも１つの前記アクティビティレートに応答して前記処理回路に提供される前記少なくとも１つのハードウェア動作パラメータを調整することと、
をさせる、前記モデムデバイス上で使用可能な１つまたは複数の命令をさらに備える、請求項３２に記載のプロセッサ読取可能媒体。
【請求項３５】
前記プロセッサに、前記処理回路の前記アクティビティレートを測定させる、前記モデムデバイス上で使用可能な前記１つまたは複数の命令が、前記プロセッサに、前記処理回路のアイドルなクロックサイクルの割合を測定させる、前記モデムデバイス上で使用可能な１つまたは複数の命令を備える、請求項３４に記載のプロセッサ読取可能媒体。
【請求項３６】
前記プロセッサに、前記メモリバスの前記アクティビティレートを測定させる、前記モデムデバイス上で使用可能な前記１つまたは複数の命令が、前記プロセッサに、前記メモリバス上の読取／書込コマンドの量および前記読取／書込コマンドを実行するための平均遅延時間を測定させる、前記モデムデバイス上で使用可能な１つまたは複数の命令を備える、請求項３４に記載のプロセッサ読取可能媒体。
【請求項３７】
前記プロセッサに、前記無線広域ネットワーク（ＷＷＡＮ）プロトコル情報をモニタさせる、前記モデムデバイス上で使用可能な前記１つまたは複数の命令が、前記プロセッサに、
ダウンリンク物理トランスポートブロックサイズ、アップリンクスケジューリング許可、自動再送要求（ＡＲＱ）ウィンドウサイズ、または送信バッファステータスのうちの少なくとも１つをモニタさせると共に、
前記処理回路の物理動作を制御するために、(a)前記モニタされた無線広域ネットワーク（ＷＷＡＮ）プロトコル情報および(b) ダウンリンク物理トランスポートブロックサイズ、アップリンクスケジューリング許可、自動再送要求（ＡＲＱ）ウィンドウサイズ、または送信バッファステータスのうちの少なくとも１つに応答して前記処理回路に提供される少なくとも１つのハードウェア動作パラメータを調整させる、前記モデムデバイス上で使用可能な１つまたは複数の命令を備える、請求項３２に記載のプロセッサ読取可能媒体。
【請求項３８】
前記プロセッサに、前記無線広域ネットワーク（ＷＷＡＮ）プロトコル情報をモニタさせる、前記モデムデバイス上で使用可能な前記１つまたは複数の命令が、前記プロセッサに、前記モデムデバイスおよびアクセスノード間において伝達される１つまたは複数のシグナリング／制御メッセージに関するシグナリング／制御チャネルをモニタさせる、前記モデムデバイス上で使用可能な１つまたは複数の命令を備える、請求項３４に記載のプロセッサ読取可能媒体。
【請求項３９】
前記プロセッサに、前記少なくとも１つの動作パラメータを調整させる、前記モデムデバイス上で使用可能な前記１つまたは複数の命令が、前記プロセッサに、前記処理回路に供給される電圧または前記処理回路のクロック周波数のうちの少なくとも１つを上方にまたは下方に調整させる、前記モデムデバイス上で使用可能な１つまたは複数の命令を備える、請求項３４に記載のプロセッサ読取可能媒体。
【請求項４０】
無線端末において動作可能なモデムデバイスであって、
無線通信インタフェースと、
前記無線通信インタフェースに関する無線広域ネットワーク（ＷＷＡＮ）プロトコルスタックを実施するように構成されたメモリデバイスと、
前記無線通信インタフェースおよび前記メモリデバイスに通信可能に結合された処理回路と、
を備え、前記処理回路が、
前記無線広域ネットワーク（ＷＷＡＮ）プロトコルスタックからの無線広域ネットワーク（ＷＷＡＮ）プロトコル情報をモニタすることと、
前記メモリデバイスに結合されたメモリバスのアクティビティレートを、前記メモリバス上の読取／書込コマンドの量、および前記読取／書込コマンドを実行するための平均遅延時間を測定することによって測定することと、
前記処理回路の物理動作を制御するために、(a)前記モニタされた無線広域ネットワーク（ＷＷＡＮ）プロトコル情報および(b) 前記メモリバスの前記アクティビティレートに応答して前記処理回路に提供される少なくとも１つのハードウェア動作パラメータを調整することと、
を行うように構成された、モデムデバイス。
【請求項４１】
処理回路のパフォーマンスレベルを管理するための、モデムデバイスにおいて使用可能な方法であって、前記方法は、
無線広域ネットワーク（ＷＷＡＮ）プロトコルスタックからの無線広域ネットワーク（ＷＷＡＮ）プロトコル情報をモニタすることと、
前記モデムデバイスに結合されたメモリバスのアクティビティレートを、前記メモリバス上の読取／書込コマンドの量、および前記読取／書込コマンドを実行するための平均遅延時間を測定することによって測定することと、
前記処理回路の物理動作を制御するために、(a)前記モニタされた無線広域ネットワーク（ＷＷＡＮ）プロトコル情報および(b) 前記メモリバスの前記アクティビティレートに応答して前記処理回路に提供される少なくとも１つのハードウェア動作パラメータを調整することと、
を行うように構成された、方法。
【請求項４２】
無線端末において動作可能なモデムデバイスであって、
無線通信を送信することまたは受信することのうちの少なくとも１つのための手段と、
前記無線広域ネットワーク（ＷＷＡＮ）プロトコルスタックからの無線広域ネットワーク（ＷＷＡＮ）プロトコル情報をモニタするための手段と、
前記モデムデバイスに結合されたメモリバスのアクティビティレートを、前記メモリバス上の読取／書込コマンドの量、および前記読取／書込コマンドを実行するための平均遅延時間を測定することによって測定するための手段と、
前記処理回路の物理動作を制御するために、(a)前記モニタされた無線広域ネットワーク（ＷＷＡＮ）プロトコル情報および(b) 前記メモリバスの前記アクティビティレートに応答して前記処理回路に提供される少なくとも１つのハードウェア動作パラメータを調整するための手段と、
を備える、モデムデバイス。
【請求項４３】
プロセッサパフォーマンスレベルを管理するための、モデムデバイスにおいて使用可能な１つまたは複数の命令を備える非一時的プロセッサ読取可能媒体であって、
前記１つまたは複数の命令は、プロセッサによって実行されると、前記プロセッサに、
無線広域ネットワーク（ＷＷＡＮ）プロトコルスタックからの無線広域ネットワーク（ＷＷＡＮ）プロトコル情報をモニタすることと、
前記モデムデバイスに結合されたメモリバスのアクティビティレートを、前記メモリバス上の読取／書込コマンドの量、および前記読取／書込コマンドを実行するための平均遅延時間を測定することによって測定することと、
前記処理回路の物理動作を制御するために、(a)前記モニタされた無線広域ネットワーク（ＷＷＡＮ）プロトコル情報および(b) 前記メモリバスの前記アクティビティレートに応答して前記処理回路に提供される少なくとも１つのハードウェア動作パラメータを調整することと、
をさせる、非一時的なプロセッサ読取可能媒体。
【請求項４４】
処理回路のパフォーマンスレベルを管理するための、モデムデバイスにおいて使用可能な方法であって、前記方法は、
無線広域ネットワーク（ＷＷＡＮ）プロトコルスタックからの無線広域ネットワーク（ＷＷＡＮ）プロトコル情報をモニタすることであって、ダウンリンク物理トランスポートブロックサイズ、アップリンクスケジューリング許可、自動再送要求（ＡＲＱ）ステータス、および送信バッファステータスのうちの１つまたは複数をモニタすることを含む、モニタすることと、
前記ダウンリンク物理トランスポートブロックサイズ、アップリンクスケジューリング許可、自動再送要求（ＡＲＱ）未処理ウィンドウサイズ、および発見された送信バッファステータスのうちの１つまたは複数に関連する処理回路パフォーマンスレベルを識別することと、
前記処理回路の物理動作を制御するために、(a)前記モニタされた無線広域ネットワーク（ＷＷＡＮ）プロトコル情報および(b) ダウンリンク物理トランスポートブロックサイズ、アップリンクスケジューリング許可、自動再送要求（ＡＲＱ）ウィンドウサイズ、または送信バッファステータスのうちの少なくとも１つに応答して前記処理回路に提供される少なくとも１つのハードウェア動作パラメータを調整することと、
を備える、方法。
【請求項４５】
アクセス端末において動作可能なモデムデバイスであって、
無線通信インタフェースと、
前記無線通信インタフェースに関する無線広域ネットワーク（ＷＷＡＮ）プロトコルスタックを実施するように構成されたメモリデバイスと、
前記無線通信インタフェースおよび前記メモリデバイスに通信可能に結合された処理回路と、
を備え、前記処理回路が、
無線広域ネットワーク（ＷＷＡＮ）プロトコルスタックからの無線広域ネットワーク（ＷＷＡＮ）プロトコル情報をモニタすることであって、ダウンリンク物理トランスポートブロックサイズ、アップリンクスケジューリング許可、自動再送要求（ＡＲＱ）ステータス、および送信バッファステータスのうちの１つまたは複数をモニタすることを含む、モニタすることと、
前記ダウンリンク物理トランスポートブロックサイズ、アップリンクスケジューリング許可、自動再送要求（ＡＲＱ）未処理ウィンドウサイズ、および発見された送信バッファステータスのうちの１つまたは複数に関連する処理回路パフォーマンスレベルを識別することと、
前記処理回路の物理動作を制御するために、(a)前記モニタされた無線広域ネットワーク（ＷＷＡＮ）プロトコル情報および(b) ダウンリンク物理トランスポートブロックサイズ、アップリンクスケジューリング許可、自動再送要求（ＡＲＱ）ウィンドウサイズ、または送信バッファステータスのうちの少なくとも１つに応答して前記処理回路に提供される少なくとも１つのハードウェア動作パラメータを調整することと、
を行うように構成された、モデムデバイス。